(57)【要約】      （修正有）【課題】ルンブロキナーゼマイクロ複合成分がよく保存されるマスクを提供する。【解決手段】ルンブロキナーゼマイクロカプセルを含むマスクの接触層は、マスク本体に設置され、複数の収容空間３１を有する。各ルンブロキナーゼマイクロカプセル４は、第一カプセル殻４１、及び第一カプセル殻で包まれたルンブロキナーゼエッセンス液体４２を備え、各美容エッセンスマイクロカプセル５は、第二カプセル殻５１及び第二カプセル殻で包まれた美容エッセンス液体５２を備える。各ルンブロキナーゼマイクロカプセルと各美容エッセンスマイクロカプセルとは、それぞれ収容空間に設置されている。ルンブロキナーゼマイクロカプセルと美容エッセンスマイクロカプセルが人体の皮膚に触れて暖められると、第一カプセル殻および第二カプセル殻が溶けてルンブロキナーゼエッセンス液体および美容エッセンス液体が放出される。【選択図】図３
0003220238.tif 000002
【実用新案登録請求の範囲】
【請求項１】
ルンブロキナーゼマイクロカプセルを含むマスクであって、
マスク本体と、
前記マスク本体に設置されており、複数の収容空間を有する接触層と、
第一カプセル殻、及び前記第一カプセル殻で包まれたルンブロキナーゼエッセンス液体を備える複数のルンブロキナーゼマイクロカプセルと、
第二カプセル殻、及び前記第二カプセル殻で包まれた美容エッセンス液体を備える複数の美容エッセンスマイクロカプセルと、
を備え、
各前記ルンブロキナーゼマイクロカプセルと各前記美容エッセンスマイクロカプセルとは、それぞれ前記収容空間に設置されており、
前記ルンブロキナーゼマイクロカプセルおよび前記美容エッセンスマイクロカプセルが人体の皮膚に触れて暖められると、前記第一カプセル殻および前記第二カプセル殻が溶けて前記ルンブロキナーゼエッセンス液体および前記美容エッセンス液体が放出されることを特徴とするマスク。
【請求項２】
前記マスク本体は、形を固定する定位層を更に備えることを特徴とする請求項１に記載のマスク。
【請求項３】
前記マスク本体は、水分を吸収する保湿層を更に備え、
前記保湿層は、前記定位層に設置されており、
前記接触層は、前記保湿層に設置されていることを特徴とする請求項２に記載のマスク。
【請求項４】
前記接触層は、繊維から織られており、前記収容空間が前記繊維の間に形成されることを特徴とする請求項１に記載のマスク。
【考案の詳細な説明】
【技術分野】
【０００１】
本考案はルンブロキナーゼマイクロ複合成分を含むマスクに関する。
【背景技術】
【０００２】
研究によると、赤ミミズはフィブリン(fibrin)を分解できる酵素を含む。
現代バイオテクノロジーにより抽出された酵素は、ルンブロキナーゼ(lumbrokinase)と呼ばれている。ルンブロキナーゼは、血栓を治療できる。また、血液の高血糖、高血圧、高トリグリセリドも改善できる。
ルンブロキナーゼをマスクエッセンス液体として使用し、トラネキサム酸、アロエエキスなど他のエッセンス液体をさらに加え、美容エッセンスはルンブロキナーゼによって最大の効果を発揮することができる。
【０００３】
従来のマスクでは、化粧料を多量に吸収してフィルム袋に封入し、使用する際にはフィルム袋を開けてマスクを取り出して使用するものである。しかし、マスクの美容エッセンスにルンブロキナーゼエッセンス液体と他の美容エッセンスが含まれている場合、ルンブロキナーゼは他の美容エッセンスと暫く混合されて変質する可能性がある。
【考案の概要】
【考案が解決しようとする課題】
【０００４】
本考案の目的は、ルンブロキナーゼマイクロ複合成分がよく保存されるマスクを提供することである。本考案では、特にルンブロキナーゼマイクロカプセル及び美容エッセンスマイクロカプセルを利用してルンブロキナーゼマイクロ複合成分を保存する。
【課題を解決するための手段】
【０００５】
本考案は、ルンブロキナーゼマイクロカプセルを含むマスクであって、マスク本体、接触層、複数のルンブロキナーゼマイクロカプセル、及び、複数の美容エッセンスマイクロカプセルを備える。
前記接触層は、前記マスク本体に設置されており、複数の収容空間を有する。
各前記ルンブロキナーゼマイクロカプセルは、第一カプセル殻、及び前記第一カプセル殻で包まれたルンブロキナーゼエッセンス液体を備える。
各前記美容エッセンスマイクロカプセルは、第二カプセル殻、及び前記第二カプセル殻で包まれた美容エッセンス液体を備える。
各前記ルンブロキナーゼマイクロカプセルと各前記美容エッセンスマイクロカプセルとは、それぞれ前記収容空間に設置されている。
前記ルンブロキナーゼマイクロカプセルおよび前記美容エッセンスマイクロカプセルが人体の皮膚に触れて暖められると、前記第一カプセル殻および前記第二カプセル殻が溶けて前記ルンブロキナーゼエッセンス液体および前記美容エッセンス液体が放出される。
【０００６】
好ましくは、前記マスク本体は、形を固定する定位層を更に備える。
【０００７】
好ましくは、前記マスク本体は、水分を吸収する保湿層を更に備える。前記保湿層は、前記定位層に設置されており、前記接触層は、前記保湿層に設置されている。
【０００８】
好ましくは、前記接触層は、繊維から織られており、前記収容空間が前記繊維の間に形成される。
【０００９】
従って、以下の効果が達成される。
１、第一カプセル殻と第二カプセル殻とはそれぞれルンブロキナーゼエッセンス液体と美容エッセンス液体とを包み、ルンブロキナーゼマイクロカプセルおよび美容エッセンスマイクロカプセルは、それぞれ接触層の収容空間に平均的に配置される。マスクをかけると、人体の皮膚に接触して暖められた後、第一カプセル殻および第二カプセル殻が溶けて、ルンブロキナーゼエッセンス液体および美容エッセンス液体が放出されて混合する。このように、従来のマスクがルブロキナーゼエッセンスおよび美容エッセンスを使用前に吸収し、使用中に劣化する可能性という欠点を解決することができる。
２、第一カプセル殻および第二カプセル殻は、それぞれルンブロキナーゼエッセンス液体および美容エッセンス液体を包み、空気などの物質から分離されて、良好な保存品質を保証する。
【図面の簡単な説明】
【００１０】
【図１】本考案の第一実施形態によるルンブロキナーゼマイクロカプセルを含むマスクを示す斜視図である。
【図２】本考案の第一実施形態の構造を示す部分断面図である。
【図３】本考案の第一実施形態の接触層、複数のルンブロキナーゼマイクロカプセル、及び、複数の美容エッセンスマイクロカプセルを示す部分拡大図である。
【考案を実施するための形態】
【００１１】
（第一実施形態）
第１図から第３図を参照する。本考案の一実施形態によるルンブロキナーゼマイクロカプセルを含むマスクは、顔の肌で使用するためのものである。
ルンブロキナーゼマイクロカプセルを含むマスクは、マスク本体１、水分２、接触層３、複数のルンブロキナーゼマイクロカプセル４、及び、複数の美容エッセンスマイクロカプセル５を備える。
【００１２】
マスク本体１は、定位層１１及び保湿層１２を備える。
定位層１１は、ルンブロキナーゼマイクロカプセル４を含むマスクの形を固定することに用いられるものであることにより、ルンブロキナーゼマイクロカプセル４を含むマスクは、力を加えても簡単には破れていない。
定位層１１の材料は布であり、この例では、定位層１１は不織布である。
【００１３】
保湿層１２は、定位層１１に設置されている。
保湿層１２の材質は特に限定されず、水分を吸収して浸透できるものであればよく、この例の保湿層１２は綿によって作られる。
保湿層１２は、水分２を吸収してルンブロキナーゼマイクロカプセルを含むマスクを湿らせておく。
注意すべき点として、水分２は、滅菌水であることにより、ルンブロキナーゼマイクロカプセルを含むマスクの貯蔵寿命を延長できる。
【００１４】
接触層３は、保湿層１２に設置されており、複数の収容空間３１を有する。
接触層３は、繊維から織られており、収容空間３１が繊維の間に形成される。つまり、収容空間３１は、天然構造から形成される。
各ルンブロキナーゼマイクロカプセル４と、各美容エッセンスマイクロカプセル５とは、それぞれ収容空間３１に平均的に設置されている。
接触層３の収容空間３１は、ルンブロキナーゼマイクロカプセル４及び各美容エッセンスマイクロカプセル５の位置を固定することに用いられるものである。
【００１５】
各ルンブロキナーゼマイクロカプセル４は、第一カプセル殻４１及び第一カプセル殻４１で包まれたルンブロキナーゼエッセンス液体４２を備える。
第一カプセル殻４１の材質は、ポリエチレングリコール（ＰＥＧ）である。
特徴的には、第一カプセル殻４１が熱と接触すると溶けて、ルンブロキナーゼエッセンス液体４２を放出する。この例では、第一カプセル殻４１が３６℃の温度に接触すると溶融が始まる。
ルンブロキナーゼエッセンス液体４２は、低温抽出して第一カプセル殻４１によってカプセル化される。ルンブロキナーゼエッセンス液体４２は、第一カプセル殻４１によって空気および他の物質から分離されて、抽出されたルンブロキナーゼエッセンス液体４２の良好な品質は延長される。
【００１６】
各美容エッセンスマイクロカプセル５は、第二カプセル殻５１及び第二カプセル殻で包まれた美容エッセンス液体５２を備える。
第二カプセル殻５１の材質は、ポリエチレングリコール（ＰＥＧ）であることにより熱と接触すると溶けて、美容エッセンス液体５２を放出する。
美容エッセンス液体５２は、トラネキサム酸、アロエエキス、桑抽出物などの美白効果を有する混合液である。
トラネキサム酸、アロエ抽出物及び桑抽出物は、混合されても劣化の影響を受けにくいが、第二カプセル殻５１に個別に含まれていてもよい。
【００１７】
ルンブロキナーゼマイクロカプセルを含むマスクを使用する場合、接触層３は使用者の皮膚に接触すると、ルンブロキナーゼマイクロカプセル４および美容エッセンスマイクロカプセル５が人体の皮膚に触れて暖められ、第一カプセル殻４１および第二カプセル殻５１が溶けて、ルンブロキナーゼエッセンス液体４２および美容エッセンス液体５２が放出されて、使用者の皮膚に接触する。
保湿層１２に吸収された水分２は、接触層３に流れ、ルンブロキナーゼエッセンス液体４２および美容エッセンス液体５２と混合されることにより、ルンブロキナーゼエッセンス液体４２および美容エッセンス液体５２を希釈し、使用者の皮膚にとって適切な濃度になる。
したがって、使用者がルンブロキナーゼマイクロカプセルを含むマスクを付けると、第一カプセル殻４１および第二カプセル殻５１が人体の皮膚に触れて暖められて溶け、キナーゼエッセンス４２とエッセンスエッセンス液体５２としか放出されないことにより、従来のマスクではルブロキナーゼエッセンスおよび美容エッセンスが使用前に混合されて劣化するという問題を解決することができる。
使用者にとっては、キナーゼエッセンス４２を使用するのは安心できる。
キナーゼエッセンス４２は、エッセンスエッセンス液体５２を最大の効果を発揮することができる。使用者がルンブロキナーゼマイクロカプセルを含むマスクを付けると、肌の循環を調節し、肌の健康を維持し、美白、保湿、しわ防止効果を招く。しかも、肌の老化を遅らせ、弾力を回復させ、肌の荒れを防ぎ、肌を明るくし、肌を輝かせることができる。
【００１８】
要約すると、第一カプセル殻４１でルンブロキナーゼエッセンス液体４２が包まれたことと、第二カプセル殻５１で美容エッセンス液体５２が包まれたことと、ルンブロキナーゼマイクロカプセル４および美容エッセンスマイクロカプセル５がそれぞれ接触層３の収容空間３１に平均的に配置されることにより、使用者がルンブロキナーゼマイクロカプセルを含むマスクを付けると、第一カプセル殻４１および第二カプセル殻５１が人体の皮膚に触れて暖められて溶け、キナーゼエッセンス４２およびエッセンスエッセンス液体５２が放出される。
このように、従来のマスクではルンブロキナーゼエッセンスおよび美容エッセンスが使用前に混合されて劣化するという問題を解決することができる。
しかも、第一カプセル殻４１および第二カプセル殻５１はそれぞれルンブロキナーゼエッセンス液体４２および美容エッセンス液体５２を包み、空気などの物質から分離されて、良好な保存品質を確保するために、本考案の目的を達成できる。
【００１９】
前記した本考案の実施形態は本考案を限定するものではなく、よって、本考案により保護される範囲は実用新案登録請求の範囲を基準とする。
【符号の説明】
【００２０】
（１）    マスク本体
（１１）  定位層
（１２）  保湿層
（２）    水分
（３）    接触層
（３１）  収容空間
（４）    ルンブロキナーゼマイクロカプセル
（４１）  第一カプセル殻
（４２）  ルンブロキナーゼエッセンス液体
（５）    美容エッセンスマイクロカプセル
（５１）  第二カプセル殻
（５２）  美容エッセンス液体
【図１】
0003220238.tif 000003
【図２】
0003220238.tif 000004
【図３】
0003220238.tif 000005